(57)【要約】【課題】  導光板と反射シートによる光源ランプのリフレクタの形成に当たり、反射シートの導光板への固定を簡単かつ安定的に行えるようにし、反射シートの導光板の相対的な位置ずれを小さくした液晶パネルを提供すること。【解決手段】  バックライトの反射シートと一体に形成されたリフレクタを有しており、リフレクタの端部が導光板のランプ収納部の端部に固定されている液晶モジュールにおいて、導光板１７の裏面に設けたボス１７ａを反射シート１８の貫通孔を通して金属製裏ケース１９に設けたボス受け穴に挿入する。前記ボス１７ａは、導光板１７の裏面の端面近くに導光板と一体に設ける。また、ボス１７ａは導光板の裏面の各角の端面近くに設けられ、ボス受け穴は金属製裏ケース１９の各角に設けた液晶モジュール固定のための取付け部１９ａに嵌め込まれた樹脂製の支持部材２５に設けてもよい。【選択図】      図７
2006201210.tif 000002
【特許請求の範囲】
【請求項１】
裏ケース内に導光板と反射シートと光源が収納され、
前記導光板の表面に液晶パネルが配置され、
前記導光板の裏面に位置する前記反射シートが、前記導光板の側面に位置する光源を覆
うリフレクタ構造を有しており、
該リフレクタの端部が、前記導光板の端部に固定されている液晶モジュールにおいて、
前記導光板の裏面に設けたボスを、前記反射シートに設けた貫通孔に通してあることを
特徴とする液晶モジュール。
【請求項２】
裏ケース内に導光板と反射シートと光源が収納され、
前記導光板の表面に液晶パネルが配置され、
前記導光板の裏面に位置する前記反射シートが、前記導光板の側面に位置する光源を覆
うリフレクタ構造を有しており、
該リフレクタの端部が、前記導光板の端部に固定されている液晶モジュールにおいて、
前記導光板の裏面に設けたボスを、前記反射シートに設けた貫通孔に通して、前記裏ケ
ースが備えるボス受け穴に挿入したことを特徴とする液晶モジュール。
【請求項３】
前記ボスは、前記導光板の裏面の端面近くに該導光板と一体に設けたことを特徴とする
請求項１又は２に記載の液晶モジュール。
【請求項４】
前記導光板は、前記液晶パネルと前記光源との間に庇を備え、
前記リフレクタ構造は、前記庇の端面に前記反射シートの立ち上がり部の端部を貼り付
けることにより形成されていることを特徴とする請求項１又は２に記載の液晶モジュール
。
【請求項５】
前記裏ケースの角には、液晶モジュール固定のための取付け部が設けられており、
前記取付け部は、前記裏ケースの角寄りにおいて、裏ケースの内側部分で絞り加工し、
かつ裏ケースの外周部分を省略した形状であり、
前記裏ケース内には、前記取付け部に対応して嵌め込まれた支持部材が配置されており
、
前記ボス受け穴は、前記支持部材に形成されていることを特徴とする請求項２に記載の
液晶モジュール。
【発明の詳細な説明】
【技術分野】
【０００１】
本発明は、液晶モジュールに関し、特にバックライトの導光板と反射シートにより形成
される光源ランプのリフレクタの固定構造に特徴を有し、リフレクタの形成に当たり反射
シートの貼り付けを簡単かつ安定的に行えるようにした液晶モジュールに関するものであ
る。
【背景技術】
【０００２】
近年、コンピュータ、携帯情報端末（ＰＤＡ）、車載用ナビゲーション装置、携帯電話
、テレビジョン装置などの表示装置として、低消費電力で薄型、軽量であることから液晶
表示装置が多く使用されるようになってきている。
【０００３】
液晶モジュールは、通常、液晶パネル、拡散板やプリズムシートなどの光学シート、導
光板、反射シート、これらのものを囲む樹脂枠、導光板の側端面に近接するランプセット
、それらを収納して背面を覆う裏ケース及び液晶パネル前面の周囲と組立体の側面をカバ
ーする前面枠を有する。液晶パネルにはＴＡＢ（Tape Automated Bonding）方式によりゲ
ートドライバＩＣ及びソースドライバＩＣが実装され、これらに接続された制御回路が搭
載されたプリント回路基板により駆動されるようになっている。
【０００４】
これらの液晶表示装置のうち、車載用ナビゲーション装置やＰＤＡ（Personal Digital
Assistant、携帯情報端末）等の小型の液晶表示装置は、液晶パネルの有効表示領域を大
きくして前面枠の額縁分を少しでも狭くするためにさまざまな工夫がなされている。
【０００５】
そして例えば、車載用ナビゲーション装置は、その取付け場所が車のダッシュボード下
の限られた空間であって制約されているため、液晶パネルの有効表示領域を大きくして前
面枠の額縁分を狭くすることには困難が伴う。そのために、バックライトの光源も、大型
の液晶表示装置のように金属製のコの字形リフレクタにランプを装着したランプセットを
導光板の側端面に沿って挿入する構成とするのではなく、反射シートを導光板の底面だけ
でなく、側方に延長して立ち上げ部を作り、立ち上げ部の上部を導光板の端面に貼り付け
てリフレクタとする簡易型の構造が多く採用されている。
【０００６】
すなわち、従来特許文献１に開示された図８に示したような液晶モジュール１００にお
いては、液晶パネル１２０、液晶パネルのために照明光を発生するバックライト１１０、
バックライト１１０と液晶パネル１２０との間に配置されてバックライト１１０からの照
明光を液晶パネル１２０に供給する光学シート１３０及びこれらを一体的に収納する樹脂
枠体１１４を備える。バックライト１１０は前面に照光面を有する略長方形の導光板１１
１と、導光板１１１の３つの辺に沿って延びる管状の光源１１２と、光源１１２からの光
を導光板１１１の照光面１１１ａ側に導く反射シート１４３と、反射シート１４３と導光
板１１１とを一体的に収容して支持する裏ケース１１４ｂとを備える。反射シート１４３
は、導光板１１１の背面側に配置される背面側の反射シート１４３ｂと、この反射シート
１４３ｂから延長され、光源１１２の背面、導光板１１１から立ち上げた側面及び前面の
３方向に伸びる光源１１２の周囲を囲むリフレクタ１４３ａを一体的に形成されたリフレ
クタ一体型のものとして構成されている。
【特許文献１】特開第２００４−１１１１５３号公報（図８、段落〔０００４〕〜〔０００９〕）
【発明の開示】
【発明が解決しようとする課題】
【０００７】
かかるリフレクタ１４３ａの形成に当たっては、導光板１１１の端部に反射シートの端
部１４３ｃを両面テープ１４５等で貼り付ける作業は手作業で行なわれているが、背面側
の反射シート１４３ｂが導光板１１１の背面に直接固定されていないので、位置ずれが生
じ易く不安定である。
【０００８】
また貼り付けの際に正確な位置合せが難しく位置ずれを生じる恐れが高い。位置がずれ
たものを使用すると光ムラが生じるので、取付け作業のやり直しなどが必要で、作業性が
悪く取付けに手間取るという問題点が存在している。
【０００９】
そこで、反射シート１４３と導光板１１１の貼り合わせ作業の効率を上げ、光ムラの発
生を抑えた液晶モジュールが求められている。
【００１０】
また、従来のバックライトでは、周囲温度の変動や、バックライト光源の点灯、消灯に
よる温度変化により、導光板とリフレクタとの間に相対的な位置ずれが発生するが、これ
をできるだけ小さくすることも求められている。
【００１１】
本願の発明者は、前記の問題点を解決すべく種々検討を行った結果、液晶モジュールに
おいて、有効発光領域などに影響のない導光板の裏面端部に着目し、そこにボスを形成し
て反射シートをボスで係止することによって、反射シートの位置の安定化を図り、リフレ
クタの導光板への取付けを容易にすることができることを見出し、本発明を完成するに至
ったものである。
【００１２】
すなわち、本発明は、反射シートの導光板への固定を簡単かつ安定的に行えるようにし
た液晶モジュールを提供することを目的とするものである。
【００１３】
また、本発明は、バックライトにおける反射シートの導光板への貼り付けの際の位置ず
れ、あるいは周囲温度の変動や、バックライト光源の点灯、消灯による温度変化による導
光板とリフレクタとの間の相対的な位置ずれをできるだけ小さくした液晶モジュールを提
供することを目的とするものである。
【課題を解決するための手段】
【００１４】
本発明の目的は、以下の手段によって達成できる。すなわち、本願の請求項１に係る液
晶モジュールの発明は、裏ケース内に導光板と反射シートと光源が収納され、前記導光板
の表面に液晶パネルが配置され、前記導光板の裏面に位置する前記反射シートが、前記導
光板の側面に位置する光源を覆うリフレクタ構造を有しており、該リフレクタの端部が、
前記導光板の端部に固定されている液晶モジュールにおいて、前記導光板の裏面に設けた
ボスを、前記反射シートに設けた貫通孔に通してあることを特徴とする。
【００１５】
また請求項２に係る液晶モジュールは、裏ケース内に導光板と反射シートと光源が収納
され、前記導光板の表面に液晶パネルが配置され、前記導光板の裏面に位置する前記反射
シートが、前記導光板の側面に位置する光源を覆うリフレクタ構造を有しており、該リフ
レクタの端部が、前記導光板の端部に固定されている液晶モジュールにおいて、前記導光
板の裏面に設けたボスを、前記反射シートに設けた貫通孔に通して、前記裏ケースが備え
るボス受け穴に挿入したことを特徴とする。
【００１６】
また請求項３に係る液晶モジュールは、請求項１又は２に記載の液晶モジュールにおい
て、前記ボスは、前記導光板の裏面の端面近くに該導光板と一体に設けたことを特徴とす
る。
【００１７】
また請求項４に係る液晶モジュールは、請求項１又は２に記載の液晶モジュールにおい
て、前記導光板は、前記液晶パネルと前記光源との間に庇を備え、前記リフレクタ構造は
、前記庇の端面に前記反射シートの立ち上がり部の端部を貼り付けることにより形成され
ていることを特徴とする。
【００１８】
また請求項５に係る液晶モジュールは、請求項２に記載の液晶モジュールにおいて、前
記裏ケースの角には、液晶モジュール固定のための取付け部が設けられており、前記取付
け部は、前記裏ケースの角寄りにおいて、裏ケースの内側部分で絞り加工し、かつ裏ケー
スの外周部分を省略した形状であり、前記裏ケース内には、前記取付け部に対応して嵌め
込まれた支持部材が配置されており、前記ボス受け穴は、前記支持部材に形成されている
ことを特徴とする。
【発明の効果】
【００１９】
本発明は、上記のような構成を備えることにより、以下に述べるような優れた効果を奏
する。すわなち、請求項１に係る発明によれば、導光板の裏面に設けたボスを反射シート
に設けた貫通孔に通してあるので、反射シートは位置ずれせず、導光板の端部への貼り付
けを作業性よく容易に行うことができる。
【００２０】
また請求項２に係る発明によれば、反射シートの導光板端部への貼り付けを作業性よく
容易に行うことができ、また導光板裏面のボスが裏ケースのボス受け穴に挿入されている
ので、使用時などの反射シートのずれによる光ムラの発生も抑えることができるので、車
載用ナビゲーション等の移動用の小型表示装置として有用な液晶モジュールを提供できる
。
【００２１】
また、請求項３に係る発明によれば、ボスを導光板の裏面の端面近くに導光板と一体に
設けたことにより、導光板の有効発光領域に影響を及ぼすことなく反射シートを固定でき
るようになる。
【００２２】
また、請求項４に係る発明によれば、反射シートの端部が表示エリアから離れた位置に
あるので、反射シート端部が表示エリアに近傍にあることによる影響を効果的に防止する
ことができる。
【００２３】
また、請求項５に係る発明によれば、液晶モジュールの取付けを兼ねた支持部材にボス
係止手段を設けたことにより、反射シートの保持が容易で、固定作業が容易になる。
【００２４】
また、請求項５に係る発明によれば、裏ケースの絞り加工部分の形状が単純であるため
、絞り加工が容易であり、しかも樹脂製の支持部材の取付固定も容易となるため、取付け
部を容易に形成することができるようになる。
【００２５】
また、請求項６に係る発明によれば、液晶モジュールの背面側において、回路基板を配
置するなどの有効なエリアをより広く確保することができる。
【発明を実施するための最良の形態】
【００２６】
以下、本発明に係る液晶モジュールの発明を実施するための最良の形態を実施例及び添
付の図面を参照して詳細に説明する。ただし、以下に示す実施例は本発明の技術思想を具
体化するための液晶モジュールを例示するものであって、本発明をこの実施例に特定する
ことを意図するものではなく、本発明は特許請求範囲に示した技術思想を逸脱することな
く種々の変更を行ったものにも均しく適用し得るものである。
【実施例】
【００２７】
図１は、本発明に係る液晶モジュールの一実施例の分解斜視図である。図２は、本発明
に係る液晶モジュールの一実施例における裏ケースから見た背面平面図である。図３は、
図２の一部分の拡大平面図である。
【００２８】
本実施例においては、移動しながら使用される小型の液晶表示装置として、車載用ナビ
ゲーション装置の表示装置を例として説明する。この車載用ナビゲーション装置の液晶モ
ジュール１０は、その斜め下から見た本発明の分解斜視図である図１を使用して、詳細に
説明すれば、次のような構成を有している。
【００２９】
すなわち、セル基板とその対向基板がシール材によって貼り合わされ、それらの両基板
間に液晶を封じ込めた液晶パネル１１がある。またこの液晶パネル１１のセル基板の端辺
上にＣＯＧ方式により直接設けられた液晶パネル１１を駆動するためのゲートドライバＩ
Ｃ及びソースドライバＩＣからなる駆動用ＩＣ（図示せず）と、液晶パネル１１の各駆動
用ＩＣに接続され、それらの駆動用ＩＣを制御するコントローラその他の電子部品を搭載
した制御回路基板（図示せず）に接続するためのフレキシブル印刷配線（ＦＰＣ）基板１
２ａ、１２ｂがある。また液晶パネル１１の背面に配置した複数枚の光学シート１５ａ〜
１５ｃがある。また矩形平板状のアクリル樹脂製の導光板１７がある。また導光板の背面
に配置した白色の反射シート１８がある。また光学シート１５ａ〜１５ｃと導光板１７と
反射シート１８を収納する裏ケース１９がある。また上側において液晶パネル１１を支持
し、下側において裏ケース１９と嵌合する額縁状の樹脂枠１４がある。また液晶パネル１
１の前面から液晶パネル１１等を覆う額縁状の前面枠２２がある。
【００３０】
導光板１７の周囲には、その側端面に沿って、液晶パネル１１と管状ランプ２１との間
に位置する庇２３が導光板１７から導出している。管状ランプ２１が、導光板１７のこの
庇２３と反射シート１８とによって樹脂枠１４内の隙間に形成されるランプ収納部２４に
配置される。なお本実施例において、庇２３は管状ランプ２１だけでなく管状ランプ２１
の両端から延びるケーブル２７の位置においても存在している。
【００３１】
管状ランプ２１は、透明なアクリル樹脂製等の導光板１７の入光面であるサイドエッジ
（側端面）に管状ランプ２１の出射面が平行になるよう配置される。ＦＰＣ基板１２ａ、
１２ｂは樹脂枠１４の側面を回して裏面に導かれて、裏ケース１９の背面に取り付けられ
る図示しない制御回路基板に接続される。なお、裏ケース１９の背面に取り付けられる制
御回路基板は、図示しない絶縁シートを介して金属製カバーで覆われる。
【００３２】
本実施例においては、後で詳細に述べるように、液晶モジュール１０を構成する裏ケー
ス１９の各角に設けた液晶モジュール１０を車に固定するための取付け部１９ａが、裏ケ
ース１９の角寄りに裏ケースの外周部分の絞りを省略して裏ケースの内側部分を絞り加工
することにより設けられており、車への液晶モジュール固定用の取付け金具（図示せず）
を取付け部１９ａに形成したビス孔１９ｂにビス止めすることにより裏ケース１９に取り
付けられるようになっている。
【００３３】
すなわち、図２に示すように、金属製の裏ケース１９に設けた液晶モジュール固定用の
取付け部１９ａは、様々なＩＣや部品が搭載されている印刷回路基板（図示しない）を裏
ケース１９に取付けるのに邪魔にならないように、裏ケース１９の最も角寄りに設けられ
る。
【００３４】
そして出来るだけ裏ケース１９の各角の隅に設けるために、取付け部１９ａの形状は、
従来からよく知られているような円形皿状ではなく、裏ケース１９の外周部分と重なる略
半周部分１９ｄにおいては絞り加工を省略し、裏ケースの内側に位置する略半周部分のみ
を絞り加工して設けた形状となっている。取付け部１９ａは、略半周状の段差１９ｃと略
半周状の側壁のない裏ケースの外周１９ｄとに区画された平面部１９ｅにビス孔１９ｂを
有している。このビス孔１９ｂの外周部分は、液晶パネル１１の設けられている方向に所
定長さ垂下しており、この垂下した円筒部（図示省略）の内側には螺子切りがなされてい
る。そして、この円筒部に液晶モジュール固定用の取付け金具をビス止めすることにより
取付け金具が取り付けられるようになっている。
【００３５】
なお、フレキシブルプリント基板１２ａ、１２ｂは、樹脂枠１４の側面を回して裏面に
導かれ、裏ケース１９の背面に取り付けられる制御回路基板（図示しない）に接続される
。また、この制御回路基板は、さらに、絶縁シートを介して図示しない金属製カバーで覆
われる。なお、符号２６はランプケーブル２７に接続されたコネクタである。
【００３６】
つまり、図２の円で囲まれた部分の拡大平面図である図３に示すように、金属製の裏ケ
ース１９に液晶モジュールの取付け部として、裏ケース１９の四隅に鈍角の段差１９ｃで
区切られた取付け部１９ａが設けられる。裏ケースの縁辺に沿った部分１９ｄには絞りの
段差は設けられていない。段差１９ｃと裏ケースの外周１９ｄとに区画された平面部１９
ｅに螺子切りされたビス孔１９ｂが設けられている。取付け部１９ａをできるだけ各角近
くに形成するために、上記したように従来からよく知られている円形皿状とは異なる形状
としているため、平面部１９を支えているのは段差１９ｃだけであり、裏ケースの外周１
９ｄ部分には平面部１９ｅに繋がる側壁が存在していない。したがってこのままではビス
孔１９ｂでビスを回しても、平面部１９ｅが潰れてします。そこで本実施例においては、
裏ケース内部の各角に配置され、平面部１９ｅを支える樹脂製の支持部材２５を配置して
いる。なお裏ケースの外周１９ｄにおいて平面部１９ｅを支えるのは、本実施例のように
、支持部材２５を配置するのではなく、例えば前面枠２２の側壁を利用してもよい。
【００３７】
そして平面部１９ｅには、支持部材２５の係止手段としての孔１９ｆが設けられている
。なおこの孔１９ｆの代わりに切り起こしのようなものを設けてもよい。
【００３８】
次に、液晶バックライト部分の構成を図４及び図５を用いて説明する。なお、図４は液
晶モジュ−ルのバックライト部分の構成を説明する分解斜視図であり、図５は図４を逆方
向から見た分解斜視図であり、いずれも前面から見た導光板１７、管状ランプ２１、反射
シート１８、支持部材２５及び裏ケース１９の配置が示されている。そして、導光板１７
の周辺にＵ字型の冷陰極管などの管状ランプ２１が配置されて反射シート１８とともにバ
ックライトを構成し、複数の光学シート１５ａ〜１５ｃとともに枠体１４（図１参照）に
はめ込んだ上、裏ケース１９内に収納されるようになっている。
【００３９】
導光板１７は、アクリル樹脂、ポリカーボネート、ＡＳ、ＰＥＴ等の光透過率の高い透
明樹脂板あるいは透明ガラス板より構成され、液晶パネル１１の有効表示領域よりもわず
かに大きな有効発光領域を有する略直方体の板であり、その周囲には庇状に形成された部
分（２３）が設けられて、管状ランプ２１などの収納部２４を形成している。導光板１７
の側端面には庇２３の下にたとえば３辺にまたがるＵ字型の管状ランプ２１が配置される
とともに、残る１辺に管状ランプ２１に接続されたケーブル２７が配線されている。導光
板１７の前面は発光面であり、光透過率の高い半透明のポリカーボネートなどからなる拡
散板、偏光板、レンズシート等からなる光学シート１５ａ〜１５ｃが設けられ、ランプ光
源からの光を均一に拡散させるようになっている。また、導光板１７の裏面には、光を乱
反射させるようにスクリーン印刷で散点状の加工や傷やエンボス加工が施されている。
【００４０】
さらに、導光板１７の裏面側には白色ポリエステル、あるいはポリエステルフィルムに
銀蒸着膜を施した反射シート１８が配置される。反射シート１８の周囲は、導光板１７の
裏面から延長され、折り曲げて立上部１８ａが形成されている。立上部１８ａは管状ラン
プ２１を包み込むようにして、その端が導光板１７の庇２３の端面に両面テープなどによ
り貼り付けられ、管状ランプ２１のリフレクタを構成している。
【００４１】
図４、図５の記載からして明らかなように、支持部材２５は、それぞれの取付け部１９
ａに対応した形状に樹脂成形された、ビス穴１９ｂ受けの円筒状凹部２５ａを有する有底
のスペーサーである。このうち円筒状凹部２５ａは、開口部に近い部分の直径が大きく、
奥の部分は開口部に近い部分に比べ直径の小さい二段構造になっている。このうち開口部
に近い部分がビス孔１９ｂの円筒部に圧入されることにより、支持部材２５を裏ケース１
９に固定するようになっている。また、支持部材２５のビス孔１９ｂが底付きであるのは
、取付け部のビス孔１９ｂからの塵埃の進入を防ぐためである。支持部材２５には、裏ケ
ース１９の取付け部１９ａに設けた係止手段１９ｆに対応して位置決めのための突起ある
いは穴のような係止手段２５ｂが形成してあり、ビス孔とこの係止手段にはめ込んで位置
決めした上、バックライトを収納した樹脂枠１４に裏ケース１９が嵌め込まれて液晶モジ
ュール１０が組立てられる。かかる構成により、支持部材２５は裏ケース１９の取付け部
１９ａと反射シート１８間に挿置されることになる。
【００４２】
図６は、支持部材２５が反射シート１８と、どのような関係にあるかを示すために、導
光板１７と反射シート１８の組立て状態を反射シート１８の裏面から見た斜視図である。
導光板１７の下面に導光板１７と一体に設けた反射シート１８との位置合わせ用ボス１７
ａが、反射シートに設けた孔１８ｂを貫通して反射シート１８の下面から突出し、支持部
材２５の底面に設けたボス挿入用の穴２５ｃに挿入される。したがって、反射シート１８
は、その底面の四隅において導光板のボス１７ａと支持部材２５により位置決めされる。
これにより、反射シート１８と導光板１７の位置決めが正確に行われ、導光板１７、光源
となる管状ランプ２１及び反射シート１８が一体化された位置ずれのないバックライトが
得られる。なお、ボス１７ａは、導光板の裏面の端面近くに設けることにより、導光板１
７の有効発光領域に影響を及ぼすことなく反射シート１８を固定できるようになる。
【００４３】
また、図７は図２のＡ−Ａ断面図である。樹脂枠１４には、その枠の上側には液晶パネ
ル１１を支持し、下側には複数枚の光学シート１５ａ〜１５ｃ、導光板１７、反射シート
１８が順次嵌め込まれて裏ケース１９に収納されている。これらの構成部材の前面から前
面枠２２が嵌め込まれ、液晶モジュール１０が組立てられている。反射シート１８と裏ケ
ース１９の取付け部１９ａ間には、前述のように、支持部材２５が挿入してあり、導光板
１７のボス１７ａは反射シート１８を貫通して支持部材２５のボス挿入用の穴２５ｃに挿
入され反射シート１８を位置決めしている。また、支持部材２５の係止手段２５ｂが裏ケ
ース１９の孔１９ｆに嵌合されている。導光板１７の庇２３の下にはバックライト光源で
ある管状ランプ２１が導光板の端面に対峙して配置され、その背面と側面を覆う反射シー
ト１８の立上部１８ａの端部が導光板の庇２３の端面に両面テープで貼り付けられて固定
されている。
【００４４】
このような、管状ランプ２１の収納部２４上を区画する庇２３の端面に反射シート１８
の端面を貼りつける作業は、通常であれば導光板１７と反射シート１８の位置がずれたり
して困難である。しかし本実施例においては、反射シート１８がボス１７ａによって位置
決めされているので、固定作業を容易に行うことができ、反射シートのずれによる光ムラ
の発生も抑えることができる。
【００４５】
さらに、このボス１７ａは、反射シート１８の位置決めだけでなく、導光板１７の位置
決めとして導光板１７の動きを抑制する作用をし、管状ランプ２１の破損を防ぐ機能も有
する。車載用、携帯用などの大きい振動に曝される装置の液晶モジュールは、振動のため
に管状ランプ２１が撓むことと、導光板１７が動くことにより、光源管状ランプ２１が撓
み破損する恐れがあった。しかし導光板１７の動きを抑制することによって破損の恐れを
低減することができる。あるいはまた、周囲温度の変動や、光源管状ランプ２１の点灯、
消灯による温度変化による導光板１７と反射シート１８及びリフレクタとの間の相対的な
位置ずれを小さくすることもできる。
【００４６】
なお、以上の実施例にかかわらず、導光板の取付け部の形状は、適宜設計することがで
きる。また、上記には導光板の裏面に設けたボスを反射シートの貫通孔を通して支持部材
に係合する例で説明したが、直接金属製裏ケースに設けたボス受け穴に挿入するようにし
てもよい。
【００４７】
さらに、導光板に設けるボスは棒状の突起でなく、他の形状の突起、例えば長さのある
幅狭のリブであっても差し支えないが、導光板の隅で有効発光領域に影響を与えないよう
な位置に形成されるのが好ましい。
【００４８】
上述の液晶モジュール１０は、小型の車載用ナビゲーション装置、ＰＤＡ、携帯用のＤ
ＶＤプレイヤー等の液晶モジュールとして有効に使用し得る。液晶モジュールが、裏ケー
ス１９の四隅で隣接する辺にまたがる角部の側壁を切除した取付け部１９ａを有し、取付
け部背面に取り付けた金具によって装置取付け部に固定されるので、取付けに場所を要せ
ず、液晶モジュールの取付けは確実で信頼性の高いものとなる。また、かかる液晶モジュ
ールは、取付け金具等が簡素化でき、コンパクトで、液晶パネルの有効表示領域を拡大し
、額縁を狭小化できる効果を有する。
【図面の簡単な説明】
【００４９】
【図１】本発明に係る液晶モジュールの一実施例の分解斜視図である。
【図２】本発明に係る液晶モジュールの一実施例における裏ケースの背面平面図である。
【図３】図２の一部分の拡大平面図である。
【図４】液晶モジュ−ルのバックライト部分の構成を説明する分解斜視図である。
【図５】図４を逆方向から見た分解斜視図である。
【図６】導光板と反射シートの組み立て状態を示す斜視図である。
【図７】図２のＡ−Ａ部分の断面図である。
【図８】従来の液晶モジュールの一部断面図である。
【符号の説明】
【００５０】
１１                  液晶パネル
１４                  樹脂枠
１７                  導光板
１７ａ                導光板ボス
１８                  反射シート
１８ｂ                反射シートに設けた孔
１９                  裏ケース
１９ａ                取付け部
１９ｂ                ビス孔
１９ｃ                段差
１９ｄ                裏ケースの外周
１９ｅ                平面部
１９ｆ                係止手段
２１                  管状ランプ
２３                  庇
２４                  ランプ収納部
２５                  支持部材
２５ｃ                ボス挿入用の穴
【図１】
2006201210.tif 000003
【図２】
2006201210.tif 000004
【図３】
2006201210.tif 000005
【図４】
2006201210.tif 000006
【図５】
2006201210.tif 000007
【図６】
2006201210.tif 000008
【図７】
2006201210.tif 000009
【図８】
2006201210.tif 000010